(57)【特許請求の範囲】
【請求項１】
紙面に転移される成分のコーティングを支持している支持リボンからなるテープの供給源と成分が除去された使用済み支持リボンとを収容するようになっている本体を有し、前記テープの供給源は、間隔を置いて独立して回転可能な一対のスプール部材の周りに巻かれた細長いリールの形で保持されているテープディスペンサ。
【請求項２】
前記支持リボンの端部は、一緒に接続され、使用済みの支持リボンは、残りの未使用のテープとともに共通のリールに収容される請求項１に記載のテープディスペンサ。
【請求項３】
前記テープは、前記リールの最も内側の巻からディスペンサのアプリケータに送られる請求項２に記載のテープディスペンサ。
【請求項４】
前記スプール部材の一方は、前記リールからの供給のために該スプール部材の軸線方向にテープ層を移動させるようにテープ部分に接触作用する請求項３に記載のテープディスペンサ。
【請求項５】
前記スプール部材は、互いに向かい合う方向に可動であり、ばね手段によって離れるように押される請求項１ないし４のいずれかに記載のテープディスペンサ。
【請求項６】
前記スプール部材は、ほぼ等しい直径である請求項１ないし５のいずれかに記載のテープディスペンサ。
【発明の詳細な説明】
本発明は、紙面に貼着されるコーティング成分がリボンに支持され、ディスペンサの使用において、支持リボンがディスペンサに保持されながら、コーティング成分が連続ストリップとして紙面に転移される種類のテープディスペンサに関する。このようなテープディスペンサは公知であり、例えば、筆記またはタイピングの誤りをカバーするために修正成分を塗布して修正を行うことに使用される。これらの公知の修正テープにおいて、テープ供給およびテイクアップスプールは、ディスペンサケーシング内に別々に設けられ、２つのスプールは駆動機構によって連結されており、テープを使用するために供給スプールから引かれるとき、テイクアップスプールが使用された支持体リボンを巻き上げる。また、スプールの回転速度が同じではないので、ある種のクラッチ機構が必要とされる。クラッチを設けるために製造コストが増大し、これは不利である。特に大部分のディスペンサは最初のテープが使用された後、廃棄することが意図されているからである。また最初に製造されて使用する時には全てのテープが供給スプールによって支持されており、また反対に最終的な使用時に供給スプールが空になり、すべての支持リボンがテイクアップスプールに巻かれるため、各スプールのために、使用中にディスペンサを保持するためにハンドルとして作用するディスペンサ本体内に大きなスペースを必要とする。その結果、もし本体が大きくなく、ディスペンサがかさばり使用上不便になることがないようにした場合にはディスペンサに供給されるテープの長さが制限される。この欠点は、ペンまたはマーカーを保持する方法と同じ方法でディスペンサを保持することができるように薄くて細長い本体を備えたディスペンサを提供することが望ましい場合、特に大きなものとなる。
上述した欠点をなくすために、本発明は、紙面に転移される成分のコーティングを支持している支持リボンからなるテープの供給源と成分が除去された使用済み支持リボンを収容するようになっている本体を有し、このテープの供給源は、間隔を置いて独立して回転可能な一対のスプール部材の周りに巻かれた細長いリールの形で保持されているテープディスペンサを提供する。
最も有利には、支持体リボンの端部は互いに接続され、使用された支持体リボンは、残った未使用のテープを備えた共通のリールに収納される。
細長いリール、例えば、スプールが同じ直径を有する場合、楕円リールにテープ供給源を保持することによって、従来のテープ収納構成によって可能であるよりもさらに長いテープを細長いディスペンサに収納することができる。さらに、未使用のテープを備えた共通のリールに、使用済みの支持リボンを収納することによって、従来技術のディスペンサを有する場合のように、使用済みのリボンを収容するためにハウジング内に別の空間を追加することは必要ない。内側の巻からアプリケータヘッドに供給するためにテープを除去する連続的な楕円のリールによって、使用された担体リボンは、最も外側の巻に戻され、通常、リールの巻層の間ですべりが起こる。このすべりの摩擦効果は、アプリケータヘッドにまたそこから伸びる部分のテープで張力を制御するために依存し、それによって、スプールの間の駆動およびクラッチ機構の必要性を無くすことができる。テープ張力を制御する他の方法は、互いに向かって移動するようにスプールを取付け、スプールを離すようにばね手段を提供することである。
本発明を明瞭に理解することを容易にするために、添付図面を参照してさらに詳細に説明する。
第１図は、テープの楕円スプールを示す概略図である。
第２図は、本発明による修正テープディスペンサの分解斜視図である。
第１図を最初に参照すると、修正テープディスペンサ内に保持されるような修正リールが示されている。例えば、プラスティックまたは紙の所定の長さの支持リボンと、その上にディスペンサによって紙面上に転移される修正成分とが支持されているテープ１は公知のものである。本発明によれば、リボンが連続したループを形成するように支持リボンの端部が接合されており、テープが一対の間隔を置いた等しい直径のスプール部材２，３の周りでいくつかの重複した層に巻かれ、それによってテープの楕円リールを形成する。図２に示すように、楕円リールは、全体が細長く、以下にさらに説明するように細長いケーシング４に収納されている。リールの内側と最も外側の巻との間のテープの一部分は、ケーシングから出て、ディスペンサの使用時に紙面に対してテープを押すように使用されるアプリケータヘッド上に伸長している。第２図に示すように、ケーシング４は、間に一対の間隔を置いたスピンドル６，７を支持する２つの部品から組み立てられ、スピンドル６，７に２つのスプール部材２，３が各軸線の周りで独立して回転するように支持されている。アプリケータヘッド５は、ケーシングの前端から突出しており、その自由端でテープが通過する縁部９を備えた先端部８を支持している。テープは、対のガイドピンまたはローラ１０によって先端部に、またそこから案内される。ケーシングは特許出願第．．．．に説明したようにアプリケータヘッドに対して回転可能に調整することができる。テープが先端縁部９によって紙面に押され、先端部が縁部とほぼ直角な方向に紙面上を移動するとき、修正コーティングが支持リボンから紙面に転移され、連続ストリップとして張り付けられる。新しいテープが供給リールから引き出される。図示した実施例において、新しいテープは、後ろのスプール３でリールの最も内側の巻から引かれる。リールからテープを分離することを補助するためにこのスプール３は、リールの平面から出る最も内側の巻を移動するように所定の輪郭を有することが好ましい。分離したテープは、アプリケータ先端部８に移動する前に、最前端のスプール２上を通りガイドピン／ローラ１０の方向に通過する。先端部の縁部９の周りを通過し、修正成分が除去された支持リボンは、前方スプール２の近傍の最外端の巻でテープリールに送られる前に一対のガイドピン／ローラ１０によって同様に案内される。修正テープ源が、使用され、テープの楕円リールが使用されたリボンによって次第に交換されるとき、リボンを収納するためにケーシング内で追加のスペースは必要ではない。
テープが楕円リールの最も内側の巻から送られるとき、外側の層は、内側に移動し、隣接層の間で或るすべりが生じる。すべり層の間の摩擦は、アプリケータヘッドに、その周りに伸びている部分を制御するためにテープに必要な張力を得ることを保証するように使用することができる。第１図の楕円リールに保持されるテープの量は、１つの円筒形スプールの周りの同じ数の層に収納するよりもかなり大きい。
【図１】
0004005130.tif 000002
【図２】
0004005130.tif 000003